(57)【要約】  子供不正開封防止パッケージは、少なくとも１つの雄ネジ山（３０）を有する口部（２８），雄ネジ山から離間して肩部（３４）上に設けられた少なくとも１つの軸線方向に延びた突起（３２），前記突起に隣接して前記口部に設けられた外側当接部（７０），を有する容器（２２）を含む。一体成形プラスチック構造のクロージャー（２４）は、ベース壁（３８），周囲外壁（４０），外壁から離間し且つ容器口部に固定するための少なくとも１つの雌ネジ山（４４）を有する内壁（４２）を含む。外壁は、直径方向に対向したギャップ（４６，４８）を有し、内壁は、容器の少なくとも１つの突起との円周方向の当接のためにギャップと半径方向に整合して軸線方向に延びる。内壁は、突起と外側当接部との間で突起を越えるために、そして、容器口部からのクロージャーの取り外しを可能にするために、内方に可撓性である。外側当接部（７０）は、好ましくは、突起の縁部と整合して口部の周りに円周方向に延びた外側ビードの形態である。【選択図】図１
2008515736.tif 000002
【特許請求の範囲】
【請求項１】
子供不正開封防止パッケージであって、
少なくとも１つの雄ネジ山（３０）を有する口部（２８），前記雄ネジ山から離間して肩部（３４）上に設けられた少なくとも１つの軸線方向に延びた突起（３２），前記突起に半径方向に隣接して前記口部に設けられた外側当接部（７０），を有する容器（２２）と、
一体成形プラスチック構造を有し、ベース壁（３８），周囲外壁（４０），前記外壁から離間し且つ前記容器口部に固定するための少なくとも１つの雌ネジ山（４４）を有する内壁（４２），を有するクロージャー（２４）と、を備え、
前記外壁は、直径方向に対向した円周ギャップ（４６，４８）を有し、
前記内壁は、前記容器突起との円周方向の当接のために前記ギャップと半径方向に整合して延び、且つ、前記ギャップ内で前記内壁の外面に設けられた、軸線方向に延びたリブ（５６）を有し、
前記内壁は、前記突起と前記外側当接部との間で前記突起を越えるために、そして、前記容器口部からの前記クロージャーの取り外しを可能にするために、内方に可撓性であることを特徴とするパッケージ。
【請求項２】
前記外側当接部（７０）は、前記雄ネジ山と前記肩部との間で前記口部の周りに円周方向に延びた外側ビードであることを特徴とする請求項１に記載のパッケージ。
【請求項３】
前記リブ（５６）は、前記内壁の端部の手前で終り、
前記クロージャーは、前記ベース壁から離間して前記リブの端部を相互連結する棚部（７２）を含む、ことを特徴とする請求項２に記載のパッケージ。
【請求項４】
前記突起（３２）は、前記突起を越えるための前記内壁の内方への撓みがなければ前記内壁によって係合される凹状当接部（３５）を有することを特徴とする請求項１に記載のパッケージ。
【請求項５】
前記外側当接部（７０）は、前記突起と半径方向内方に整合していることを特徴とする請求項１に記載のパッケージ。
【請求項６】
前記外側当接部（７０）は、前記突起（３２）の上縁と半径方向内方に整合していることを特徴とする請求項５に記載のパッケージ。
【請求項７】
前記外側当接部（７０）は、前記口部の周りに円周方向に延びた外側ビードを含むことを特徴とする請求項６に記載のパッケージ。
【請求項８】
子供不正開封防止パッケージであって、
少なくとも１つの雄ネジ山（３０）を有する口部（２８），前記雄ネジ山から離間して肩部（３４）上に設けられた少なくとも１つの軸線方向に延びた突起（３２），を有する容器（２２）と、
一体成形プラスチック構造を有し、ベース壁（３８），周囲外壁（４０），前記外壁から離間し且つ前記容器口部に固定するための少なくとも１つの雌ネジ山（４４）を有する内壁（４２），を有するクロージャー（２４）と、を備え、
前記外壁は、直径方向に対向した円周ギャップ（４６，４８）を有し、
前記内壁は、前記容器突起との円周方向の当接のために前記ギャップと半径方向に整合して延び、且つ、前記ギャップ内で前記内壁の外面に設けられた軸線方向に延びたリブ（５６）を有し、
前記リブは、前記内壁の縁部から離間し、且つ、半径方向外方に延びた弧状の棚部（７２）によって連結された端部を有し、
前記内壁は、前記突起を越えるために、そして、前記容器口部からの前記クロージャーの取り外しを可能にするために、内方に可撓性であることを特徴とするパッケージ。
【請求項９】
前記容器口部は、前記突起（３２）に隣接した外側当接部（７０）を有し、
前記内壁は、前記突起と前記外側当接部との間で前記突起を越えるために、内方に可撓性であることを特徴とする請求項８に記載のパッケージ。
【請求項１０】
前記外側当接部（７０）は、前記雄ネジ山と前記肩部との間で前記口部の周りに円周方向に延びた外側ビードを含むことを特徴とする請求項９に記載のパッケージ。
【請求項１１】
子供不正開封防止パッケージのための容器（２２）であって、
少なくとも１つの雄ネジ山（３０）を有する口部（２８），前記雄ネジ山から離間して肩部（３４）上に設けられた少なくとも１つの軸線方向に延びた突起（３２），前記口部に設けられ、前記突起に半径方向内方に隣接するが前記突起から離間した外側当接部（７０），を有する本体（２６）を含んでいることを特徴とする容器。
【請求項１２】
前記外側当接部（７０）は、前記雄ネジ山と前記肩部との間で前記口部の周りに円周方向に延びた外側ビードを含むことを特徴とする請求項１１に記載の容器。
【請求項１３】
前記突起（３２）は、前記突起を越えるための前記内壁の内方への撓みがなければ前記内壁によって係合される凹状当接部（３５）を有することを特徴とする請求項１１に記載の容器。
【請求項１４】
前記外側当接部（７０）は、前記突起（３２）と半径方向内方に整合していることを特徴とする請求項１１に記載の容器。
【請求項１５】
前記外側当接部（７０）は、前記突起（３２）の上縁と半径方向内方に整合していることを特徴とする請求項１４に記載の容器。
【請求項１６】
前記外側当接部（７０）は、前記口部の周りに円周方向に延びた外側ビードを含むことを特徴とする請求項１４又は１５に記載の容器。
【請求項１７】
雄ネジ山（３０）を有する口部（２８）と、前記雄ネジ山から離間して肩部（３４）上に設けられた少なくとも１つの軸線方向に延びた突起（３２）と、を備えた容器（２２）のための、子供不正開封防止クロージャー（２４）であって、
前記クロージャーは、一体成形プラスチック構造を有し、
ベース壁（３８）と、周囲外壁（４０）と、前記外壁から離間し且つ前記容器口部に固定するための少なくとも１つの雌ネジ山（４４）を有する内壁（４２）と、を有し、
前記外壁は、直径方向に対向した円周ギャップ（４６，４８）を有し、
前記内壁は、前記容器突起との円周方向の当接のために前記ギャップと半径方向に整合して延び、
前記内壁は、前記突起を越えるために、そして、前記容器口部からの前記クロージャーの取り外しを可能にするために、内方に可撓性であり、
前記内壁は、前記ギャップ内で前記内壁の外面に設けられた軸線方向に延びたリブ（５６）を有し、
前記リブは、前記リブの下に容器突起を通過させるために、前記壁の縁部の手前で終り、
前記リブの端部は、半径方向外方に延びた弧状の棚部（７２）によって相互連結されていることを特徴とするクロージャー。
【発明の詳細な説明】
【技術分野】
【０００１】
本発明は、クロージャーを回して、クロージャーを容器から取り外すことができるように、ユーザーがクロージャーの対向部分を強く握り締め（squeeze）なければならないタイプの、子供不正開封防止クロージャー、容器及びパッケージに関する。そのようなクロージャー及びパッケージは、通常、スクイーズターンクロージャー及びパッケージと呼ばれている。
【背景技術】
【０００２】
米国特許第６，１１２，９２１号公報は、クロージャーが、容器口部を受け入れるための雌ネジ山を有する内壁と、子供不正開封防止構造を包囲するための外壁と、を有する二重壁クロージャーである子供不正開封防止クロージャー，容器及びパッケージを開示している。外壁は、直径方向に対向したギャップを有し、指パッドが、ギャップと整合して内壁から延びている。クロージャーが容器の口部に時計方向にねじ込まれるとき、指パッドは、容器の肩部に設けられた突起の内側に変位する。指パッドが半径方向内方に向けて強く握られ、パッドが突起の内側を越えない限り、突起の停止面が、クロージャーの反時計方向の取り外しを防止する。上記特許に開示されているクロージャー，容器及びパッケージに、１つ又はそれ以上の改良を具現化する子供不正開封防止クロージャー，容器及びパッケージを提供することが、本発明の一般的な目的である。
【発明の開示】
【０００３】
本発明の一態様による子供不正開封防止パッケージは、少なくとも１つの雄ネジ山（ネジ山セグメント）を有する口部，雄ネジ山から離間して肩部上に設けられた少なくとも１つの軸線方向に延びた突起，突起に隣接して口部に設けられた外側当接部，を有する容器を含んでいる。一体成形プラスチック構造のクロージャーは、ベース壁と、周囲外壁と、外壁から離間し且つ容器口部に固定するための少なくとも１つの雌ネジ山（ネジ山セグメント）を有する内壁と、を含んでいる。外壁は、直径方向に対向したギャップを有し、内壁は、容器に設けられた少なくとも１つの突起との円周方向の当接のためにギャップと半径方向に整合して軸線方向に延びている。内壁は、突起と外側当接部との間で突起を越えて、容器口部からのクロージャーの取り外しを可能にするように、内方に可撓性である。外側当接部は、好ましくは、突起の縁部と整合して口部の周りに円周方向に延びた外側ビードの形態である。
【０００４】
本発明の他の態様によれば、子供不正開封防止クロージャーは、クロージャーの内壁から延びる指パッドに設けられた外側リブを有している。リブは、指パッドの下部までは完全に延びておらず、これにより、パッドの下部はリブの下で容器肩部上に設けられた突起を越えることができ、このとき、リブはユーザーの指が容器突起にぶつかるのを防止する。また、リブは、突起を越えるためにパッドを半径方向内方に押すときに機械的な利益を増大し、これは、クロージャーを取り外す際に高齢者ユーザーを補助することができる。リブは、リブをパッド及び内壁の外面に沿って上方に延長させることにより、クロージャーの種々のサイズ又は種々の材料のために指パッドをより堅くすることができるという追加の利点を有している。リブの端部は、ユーザーの指がリブの端部に係合することを防止するために、半径方向外方に延びた弧状の棚部によって相互連結されている。
【０００５】
本発明の第３の態様による子供不正開封防止パッケージのための容器は、少なくとも１つの雄ネジ山を有する口部と、雄ネジ山から離間して肩部上に設けられた少なくとも１つの軸線方向に延びた突起と、突起に隣接して口部に設けられた外側当接部と、を有する本体を含んでいる。好ましい実施形態では、外側当接部は、突起の縁部と半径方向内方に整合した円周ビードを含んでいる。
【０００６】
本発明は、追加的な目的，特徴，利点及び特性と共に、以下の記載，特許請求の範囲及び添付図面から最もよく理解されるであろう。
【発明を実施するための最良の形態】
【０００７】
図１は、本発明の１つの例示的な、しかし現在好ましい実施形態による、互いに積み重ねられた一組のクロージャーと容器のパッケージ２０を示している。各パッケージ２０は、容器２２とクロージャー２４を含んでいる。容器２２（図１、図５及び図６）は、本体２６を含み、口部２８が本体から延びている。口部２８は、全体的に円筒構造のものであり、クロージャー２４の固定のための一つ又はそれ以上の雄ネジ山（又は、ネジ山セグメント）３０を有している。一対の直径方向に対向した突起３２が、容器２２の肩部３４から軸線方向に延びている。各突起３２は、時計方向に面した当接面（abutment face）３５と、反時計方向に面したカム縁部３６を有している。突起３２は、以下の理由により口部２８から半径方向外方に離間されている。外側当接部７０が、各突起３２に隣接して口部２８に配置されている。外側当接部７０は、好ましくは口部２８の周りに延びた円周ビードの形態である。ビード７０は、好ましくは円周方向に連続し、また、好ましくは、図５で最もよく分かるように突起３２の上縁と半径方向内方に整合している。ビード７０は、好ましくは口部２８の軸線と垂直な平面内に位置する。
【０００８】
クロージャー２４（図１及び図７乃至図１１）は、ベース壁３８を含み、周囲外壁又はスカート４０がベース壁３８から軸線方向に延びている。ベース壁３８は、図面に示された実施形態では円形周囲を有し、壁４０は、図示された実施形態では切頭円錐構造のものである。壁４０は、本発明の他の実施形態においては、容器本体の形状と融合するように非円形断面のものであってもよい。内壁又はスカート４２が、外側スカート４０内でベース壁３８の下側から軸線方向に延びている。内壁４２は、クロージャー２４を容器口部２８の雄ネジ山３８に固定するための、１つ又はそれ以上の雌ネジ山（又は、ネジ山セグメント）４４を有している。外壁４０は、円周方向に連続しておらず、一対の直径方向に離間したギャップ４６，４８（図２及び図７）を形成する対向縁部を有している。リブの形態の装飾が、外壁４０の外面に沿って軸線方向に延びていてもよい。
【０００９】
図２及び図９で最もよく分かるように、一対の直径方向に対向した指タブ又はパッド５２，５４が、外壁４０と平行に、しかし外壁４０から半径方向内方に離間して、内壁４２から軸線方向に延びている。図７，図８及び図１１で最もよく分かるように、これら指パッド５２，５４は、外壁４０のギャップ４６，４８と半径方向に整合している。複数の円周方向に離間した外側リブ５６が、各指タブ５２，５４に沿って軸線方向に延びている。好ましい実施形態では、リブ５６は、クロージャーベース壁３８に隣接した位置から、指パッドの下縁に隣接するが、指パッドの下縁から離間した位置まで延び、その位置は、内壁４２から延びるパッド５２，５４の部分のうち半径方向に最も厚い（図９）。半径方向外方に延びる平らな弧状棚部７２が、リブ５６の下端を相互連結している。棚部７２は、内壁４２の軸線方向と垂直な共通平面内に位置している。
【００１０】
容器口部２８にクロージャー２４を取り付けるために、内壁４２を容器口部の上に位置決めし、クロージャーを、容器口部に対して時計方向に回転させる（又は、容器をクロージャーに対して反時計方向に回転させる）。指パッド５６の下端を、回転軸線（口部２８及び壁４２の軸線）の半径方向に位置決めして突起３２のカム縁部３６に係合させる。各突起３２の内面５８は、容器口部へのクロージャーの時計方向回転中に、指パッド５２，５４を半径方向内方に変位させるようにまるくされ、これにより指パッドは突起を越える。クロージャーを容器口部に対して反時計方向に回転させることによって（又は、容器をクロージャーに対して時計方向に回転させることによって）、クロージャーを取り外すことを試みるとき、指パッド５２，５４は、図２乃至図４で最もよく分かるように、停止突起３２の当接面３５と係合される。指パッド５２，５４は、突起３２と容器口部２８の外側面との間の空間内で突起３２を越えるためには、半径方向内方に指で押されなければならない。各突起３２の当接面３５に窪み又は凹部を設けることは、子供開封防止操作の際、パッドを突起に自動心出し（self-centering）するのに役立ち、これはクロージャーを容器口部に対して非常な力で回す際に、指パッドの偶然の動きを防止するのを助ける。
【００１１】
指パッド５２，５４の下縁の手前で止める事実とつなげてリブ５６を設けることは、クロージャーを容器から取り外すとき、ユーザーの指が突起３２にぶつかるのを防止するのを助ける。また、リブ５６は、突起を越えるために指パッドを半径方向内方に押すときに機械的な利益を増大させ、これはクロージャーを取り外す際に高齢者ユーザーを補助することができる。図面では、リブ５６は、指パッド５２，５４の可撓性部分の外側で最も厚く、内壁４２の外側面に沿って比較的薄いことに気付くであろう。リブ５６の半径方向のより厚い部分を、壁４２に沿って上方に延長させてクロージャーの種々のサイズ又は種々の材料のために指パッドをより堅くしてもよい。当接ビード７０は、パッド５２，５４の半径方向内方への動きを制限し、これは、棚部７２と共同して、ユーザーの指が突起３２にぶつかることを更に防止する。
【００１２】
一対の弧状リブ６０，６２は、クロージャーベース壁３８の上面から軸線方向上方に延びている。これらのリブ６０，６２は、図７で最もよく分かるように、外壁４０の分割部分と実質的に整合して、ベース壁の周りに、ある角度延びている。これらリブ６０，６２は、クロージャーの中心軸線と同心であり、図１に示されているように、容器本体２６の底部の窪み又は凹部６４内に受け入れられるようになっている、パッケージ上に他のパッケージを積み重ねるための突出部又は突起部を形成している。
【００１３】
かくして、上述のすべての課題目的を十分に満足する子供不正開封防止スクイーズターンクロージャー，容器及びパッケージを開示した。本発明を、現在好ましい実施形態と関連して開示し、多くの変形及び改変を議論した。他の変形及び改変が、上述の議論を考慮して容易に当業者に示唆されるであろう。本発明は、添付請求項の精神及び広い範囲内に入るようなすべての変形及び改変を含むものである。
【図面の簡単な説明】
【００１４】
【図１】本発明の好ましい一実施形態による２つの子供不正開封防止パッケージが互いに積み重ねられた状態の部分断面正面図である。
【図２】図１の実質的に２−２線に沿った断面図である。
【図３】図２の領域３の部分拡大断面図である。
【図４】図２の実質的に４−４線に沿った部分断面図である。
【図５】図１のパッケージにおける容器の部分断面正面図である。
【図６】図５の容器の平面図である。
【図７】図１のパッケージにおけるクロージャーの平面図である。
【図８】図７の実質的に８−８線に沿った断面図である。
【図９】図７の実質的に９−９線に沿った断面図である。
【図１０】図９の方向１０からの部分正面図である。
【図１１】図７の実質的に１１−１１線に沿った部分断面正面図である。
【符号の説明】
【００１５】
２０  パッケージ
２２  容器
２４  クロージャー
２６  本体
２８  口部
３２  突起
３４  肩部
３５  支持面
３６  カム縁部
３８  ベース壁
３８  雄ネジ山
４０  外壁
４２  内壁
４６，４８  ギャップ
５２，５４  指パッド
５６  リブ
５８  内面
６０，６２  リブ
６４  凹部
７０  外側当接部（ビード）
７２  棚部
【図１】
2008515736.tif 000003
【図２】
2008515736.tif 000004
【図３】
2008515736.tif 000005
【図４】
2008515736.tif 000006
【図５】
2008515736.tif 000007
【図６】
2008515736.tif 000008
【図７】
2008515736.tif 000009
【図８】
2008515736.tif 000010
【図９】
2008515736.tif 000011
【図１０】
2008515736.tif 000012
【図１１】
2008515736.tif 000013
【国際調査報告】
2008515736.tif 000014
2008515736.tif 000015
2008515736.tif 000016